(57)【要約】【課題】  封筒に封入されている現金と表示との一致を保証する現金封入用封筒の提供。【解決手段】  金銭を封入する封筒１の表面に、封入する金額の合計を記入できる合計金額欄２と、その合計金額を金種ごとに仕分けし金種ごとの内訳金額として示すためにあらかじめ金種を印刷した金種欄３と、金種ごとにその金種が構成する金額を記入できる内訳金額欄４とを備えた表５を印刷しておく。【選択図】          図１
0003112539.tif 000002
【実用新案登録請求の範囲】
【請求項１】
金銭を封入する封筒の表面に、封入する金額の合計を記入できる合計金額欄と、その合計金額を金種ごとに仕分けし金種ごとの内訳金額として示すためにあらかじめ金種を印刷した金種欄と、金種ごとにその金種が構成する金額を記入できる金額欄とを備えた表が印刷されていることを特徴とした現金封入用封筒。
【請求項２】
金種個数記入欄を設けてあることを特徴とした請求項１に記載の現金封入用封筒。
【請求項３】
開封者用内訳チェック欄を設けてあることを特徴とした請求項１又は２に記載の現金封入用封筒。
【考案の詳細な説明】
【技術分野】
【０００１】
本考案は、現金出納用の封筒に関する。
【背景技術】
【０００２】
現金売上の業種では、会計スタッフが一日の売上を集計して封筒や布袋に入れ、伝票とともに上司に手渡したり、銀行に渡したりしている。このときに上司や銀行の再計算時に伝票記載の金額よりも実際の金額が少ないと、会計スタッフとのあいだで入れたはずだ、足りないなどの水掛け論的なトラブルが生じる。原因はいずれかの側の計算間違いや数え間違いあるいは、盗難、紛失などであるが、封入者あるいは開封者の責任ではないことの決め手がない。
【０００３】
このような事態を解決するために、現金を封入する封筒に何らかの手段を設けることは一つの方法である。特許文献１では、封筒に家計費収支記録表を添付して家計費の出金費目ごとに現金を振り分け記入することにより、現金管理の合理化、明確化を図ろうとしている。特許文献２も同様ないわば家計簿一体の封筒である。特許文献３は、封筒に窓と金額表示欄を設けて封入されているものがお金であること、封入されている金額に関する情報を附属させた現金受け渡し用の袋である。また、特許文献４は、短時間で封緘作業ができる給与収納袋を開示している。
【０００４】
【特許文献１】実用新案登録第３０６９１７１号公報
【特許文献２】実用新案登録第３０７６９３５号公報
【特許文献３】特開平１１−２２２２４７号公報
【特許文献４】特開平１０−１１９９７７号公報
【考案の開示】
【考案が解決しようとする課題】
【０００５】
前記特許文献１，２は、出金を管理するための表（家計簿）を封筒に付加したものであり、特許文献３は、封入する現金の情報をすばやく記入（印刷）できるようにしたものであり、また、特許文献４は、さらに封筒内部に現金が存在していることを目視できるようにしたものであって、封入されている現金と表示との一致を保証する機能はない。この考案は、封筒に封入されている現金と表示との一致を保証する機能を持たせることを課題とする。
【課題を解決するための手段】
【０００６】
封入する現金を金種で仕分けし、封筒に金種ごとの金額を表示させる。
【考案の効果】
【０００７】
現金を封入するに際して、現金を金種（１万円札、５千円札等、以下、７種）に仕分けし、その枚数あるいは個数を数え、かつ、その数を表に記入しなければならないから、合計金額を間違えることがない。また、通常、売上あるいは支払いに関する伝票を同封するから、合計金額をこれらの数字と照合することにより、合計金額の正しいことも確認できる。開封する側でも同様に、表をもとに合計金額を確認しやすい。封入時や移送途中で合計金額を少なく記入して現金を抜き取るなどの行為は、伝票との不一致が生じるから不可能である。
【考案を実施するための最良の形態】
【０００８】
現金を封入する封筒に、少なくとも、合計金額及び金種とその金種ごとの金額を記入する表を印刷しておく。封入者や開封者のサインあるいは印を得る個所を設けておくことは好ましい。
【実施例１】
【０００９】
図１は、現金封入用封筒の１例である。通常の封筒１の表面に、封入する金額の合計を記入できる合計金額欄２と、金種欄３及び内訳金額欄４を設けた表５と、封入者と開封者の署名欄６を印刷してある。日付欄７もあると便利である。
【００１０】
金種欄３は、現在の紙幣と硬貨の種類全部（９種）を高額なものを上にして順に並べてある。内訳金額欄４はその左側の金種によって構成される金額を記入する欄である。これらの欄は、例えば、合計金額２５３８０６円の場合、金種(円)１００００,内訳金額２５００００円、金種(円)５０００,内訳金額０円、金種(円)２０００,内訳金額０円、金種(円)１０００,内訳金額３０００円、金種(円)５００,内訳金額５００円、金種(円)１００,内訳金額３００円、金種(円)１０，内訳金額０円、金種(円)５，内訳金額０円及び金種(円)１,内訳金額６円となる。もちろん、実際には別の金種と内訳金額で構成される場合もある。なお、各図は金額が記入された状態で示されているが、各欄への記入は、封入者あるいは開封者が行う。
署名欄には、封入した人、開封した人が署名又は押印する。
【００１１】
現金を封入するときは、まず、現金を金種ごとに仕分けする。ついで、準備した現金封入用封筒１の表に金種ごとに内訳金額を書き込んでいき、最後に合計し、これを伝票の合計と照会して一致しておれば、その額を合計金額欄に記入する。開封者は押印してから開封し、内部の現金を金種ごとに仕分けし、それぞれが構成する金額を確認し、合計を確認する。
現金を金種に仕分けして、その金種ごとに内分け金額を記入するので、数え間違いや合計間違いが生じない。仮に開封時に現金が表示金額あるいは伝票金額と一致しないことが生じても、封入者としては間違いなく入れたことを主張しやすい。
一方、封入時に現金を抜き取ろうとしても、間違いが生じない方法で合計しているので、集計したときは合計金額が伝票と一致していたなどという言い訳が心理的に難しく、抜き取りを防止する効果が大きい。
【実施例２】
【００１２】
図２は、前記第１の実施例において、現金封入用封筒１の表５に個数欄８を設けたものであり、金種(円）の個数(枚数）を記入する。例えば、前記の例で金種１００００円の欄に関する個数欄は２５、金種５００円に関する個数欄は１である。
仕分けした金種の個数をまず記入することで金種で構成される内訳金額を記入しやすく、また、間違いも少なくなる。さらに、開封者が、封入されていた現金について個数（枚数）を確認しやすい。
【実施例３】
【００１３】
図３は、前記第２の実施例の表５にさらに開封者チェック欄９を設けている。このチェック欄９は開封者の確認のために用いるもので、開封者が各金種(円）欄について確認後にチェックを入れる。開封して仕分けした現金の、各金種による内訳金額ついての確認漏れを防止することができる。
【００１４】
以上、３つの実施例について説明したが、封筒そのものの形態は横長とする場合もあり、表の形態、その他の表示やレイアウトは実施例のものに限定されない。実施例では、表などを、封筒の表面に印刷したが、裏面や両面にまたがる場合もある。
【図面の簡単な説明】
【００１５】
【図１】平面図（第１の実施例）
【図２】平面図（第２の実施例）
【図３】平面図（第３の実施例）
【符号の説明】
【００１６】
１  封筒
２  合計金額欄
３  金種欄
４  内訳金額欄
５  表
６  署名欄
７  日付欄
８  個数欄
９  チェック欄
【図１】
0003112539.tif 000003
【図２】
0003112539.tif 000004
【図３】
0003112539.tif 000005